Podtech/llm-jp-corpus-v4-ja_patent huggingface dataset:
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
複数の図柄を変動表示可能な表示手段と、
前記表示手段の表示領域に表示され、前記表示領域内を移動可能な表示物と、
前記表示物が移動する移動演出を実行可能な移動演出実行手段と、
前記表示手段の表示領域外に配列された複数の演出用発光体と、
少なくとも３色の所定の発光色で発光可能な複数の装飾用発光体を有する装飾部材と、
前記複数の演出用発光体及び前記複数の装飾用発光体の発光を制御可能な発光制御手段と、
を備え、
前記発光制御手段は、前記移動演出の実行中は、前記複数の演出用発光体のうちの第１発光範囲の発光体と、前記複数の演出用発光体のうちの前記第１発光範囲と隣り合う第２発光範囲の発光体を互いに異なる発光態様で制御し、
前記発光制御手段は、前記移動演出が実行される場合に、前記表示物の移動方向に応じて前記複数の演出用発光体が前記移動方向に合わせるように前記第１発光範囲と前記第２発光範囲を発光制御させる発光変化制御を行い、
前記装飾部材は、第１装飾部及び前記第１装飾部とは異なる第２装飾部で構成され、
前記発光制御手段は、前記第１装飾部及び前記第２装飾部を同時に前記所定の発光色で発光させる同時発光制御を行う場合に、前記第１装飾部と前記第２装飾部との発光態様が異なるように前記複数の装飾用発光体の発光を制御することを特徴とする遊技機。
【手続補正２】
【補正対象書類名】明細書
【補正対象項目名】０００８
【補正方法】変更
【補正の内容】
【０００８】
本発明の遊技機は、複数の図柄を変動表示可能な表示手段と、前記表示手段の表示領域に表示され、前記表示領域内を移動可能な表示物と、前記表示物が移動する移動演出を実行可能な移動演出実行手段と、前記表示手段の表示領域外に配列された複数の演出用発光体と、少なくとも３色の所定の発光色で発光可能な複数の装飾用発光体を有する装飾部材と、前記複数の演出用発光体及び前記複数の装飾用発光体の発光を制御可能な発光制御手段と、を備え、前記発光制御手段は、前記移動演出の実行中は、前記複数の演出用発光体のうちの第１発光範囲の発光体と、前記複数の演出用発光体のうちの前記第１発光範囲と隣り合う第２発光範囲の発光体を互いに異なる発光態様で制御し、前記発光制御手段は、前記移動演出が実行される場合に、前記表示物の移動方向に応じて前記複数の演出用発光体が前記移動方向に合わせるように前記第１発光範囲と前記第２発光範囲を発光制御させる発光変化制御を行い、前記装飾部材は、第１装飾部及び前記第１装飾部とは異なる第２装飾部で構成され、前記発光制御手段は、前記第１装飾部及び前記第２装飾部を同時に前記所定の発光色で発光させる同時発光制御を行う場合に、前記第１装飾部と前記第２装飾部との発光態様が異なるように前記複数の装飾用発光体の発光を制御することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
複数の図柄を変動表示可能な表示手段と、
所定方向に配列された複数の発光体と、
前記複数の発光体の発光を制御可能な発光制御手段と、
前記表示手段の表示領域に表示され、前記表示領域内を移動可能な表示物と、
前記表示物が移動する移動演出を実行可能な移動演出実行手段と、
を備え、
前記表示物は、第１表示画像と、前記第１表示画像とは異なる第２表示画像とを含む複数の表示画像を備え、
前記発光制御手段は、前記移動演出の実行中は、前記複数の発光体のうちの第１発光範囲の発光体と、前記複数の発光体のうちの前記第１発光範囲と隣り合う第２発光範囲の発光体を互いに異なる発光態様で制御し、
前記発光制御手段は、前記移動演出が実行される場合に、前記表示物の移動方向に応じて前記複数の発光体が前記移動方向に合わせるように前記第１発光範囲と前記第２発光範囲を発光制御させる発光変化制御を行い、
前記発光制御手段は、該発光変化制御を行う場合に、
前記第１発光範囲または第２発光範囲の前記移動方向に合わせる発光変化が前記表示物の移動速度よりも速くなるように制御する第１発光制御と、
前記第１発光範囲または第２発光範囲の前記移動方向に合わせる発光変化が前記表示物の移動速度よりも遅くなるように制御する第２発光制御と、
前記第１発光範囲または第２発光範囲の前記移動方向に合わせる発光変化と前記表示物の移動速度とが同じとなるように制御する第３発光制御と、のいずれかを行うことを特徴とする遊技機。
【手続補正２】
【補正対象書類名】明細書
【補正対象項目名】０００８
【補正方法】変更
【補正の内容】
【０００８】
本発明の遊技機は、複数の図柄を変動表示可能な表示手段と、所定方向に配列された複数の発光体と、前記複数の発光体の発光を制御可能な発光制御手段と、前記表示手段の表示領域に表示され、前記表示領域内を移動可能な表示物と、前記表示物が移動する移動演出を実行可能な移動演出実行手段と、を備え、前記表示物は、第１表示画像と、前記第１表示画像とは異なる第２表示画像とを含む複数の表示画像を備え、前記発光制御手段は、前記移動演出の実行中は、前記複数の発光体のうちの第１発光範囲の発光体と、前記複数の発光体のうちの前記第１発光範囲と隣り合う第２発光範囲の発光体を互いに異なる発光態様で制御し、前記発光制御手段は、前記移動演出が実行される場合に、前記表示物の移動方向に応じて前記複数の発光体が前記移動方向に合わせるように前記第１発光範囲と前記第２発光範囲を発光制御させる発光変化制御を行い、前記発光制御手段は、該発光変化制御を行う場合に、前記第１発光範囲または第２発光範囲の前記移動方向に合わせる発光変化が前記表示物の移動速度よりも速くなるように制御する第１発光制御と、前記第１発光範囲または第２発光範囲の前記移動方向に合わせる発光変化が前記表示物の移動速度よりも遅くなるように制御する第２発光制御と、前記第１発光範囲または第２発光範囲の前記移動方向に合わせる発光変化と前記表示物の移動速度とが同じとなるように制御する第３発光制御と、のいずれかを行うことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
照射された放射線に応じた電荷を蓄積可能な複数の画素が配置されたセンサー基板を有するセンサーパネルと、
前記センサー基板の各画素が蓄積した電荷に基づいて画像データを生成する画像生成手段と、
複数のアンテナを備え、前記画像生成手段が生成した画像データを無線通信にて外部へ送信することが可能な無線モジュールと、
前記センサーパネルにおける前記無線モジュール近傍の部位の温度を測定する第一温度センサーと、
前記第一温度センサーの測定値に基づいて、前記無線モジュールが前記画像データの送信に使用するアンテナの本数を制御する通信制御手段と、を備えることを特徴とする放射線撮影装置。
【請求項２】
前記通信制御手段は、
前記第一温度センサーの測定値が所定の閾値以上の場合に、前記無線モジュールが前記画像データの送信に使用するアンテナの本数を減らし、
前記第一温度センサーの測定値が前記閾値未満の場合に、前記無線モジュールが前記画像データの送信に使用するアンテナの本数を増やすことを特徴とする請求項１に記載の放射線撮影装置。
【請求項３】
前記センサーパネルにおける前記第一温度センサーが温度を測定する部位とは異なる部位の温度を測定する第二温度センサーを備え、
前記通信制御手段は、前記第一温度センサーの測定値と前記第二温度センサーの測定値との差分値に基づいて、前記無線モジュールが前記画像データの送信に使用するアンテナの本数を制御することを特徴とする請求項１に記載の放射線撮影装置。
【請求項４】
前記第一温度センサーは、前記センサーパネルと前記無線モジュールとの間に設けられていることを特徴とする請求項１から３のいずれか一項に記載の放射線撮影装置。
【請求項５】
照射された放射線に応じた電荷を蓄積可能な複数の画素が配置されたセンサー基板と、
前記センサー基板の各画素が蓄積した電荷に基づいて画像データを生成する画像生成手段と、
複数のアンテナを備え、前記画像生成手段が生成した画像データを無線通信にて外部へ送信することが可能な無線モジュールと、
前記画像生成手段の動作を規定する撮影モードを、それぞれ生成する画像データのデータ量が異なる複数の撮影モードのいずれかに設定する撮影モード設定手段と、
前記撮影モード設定手段が設定した撮影モードに基づいて、前記無線モジュールが前記画像データの送信に使用するアンテナの本数を制御する通信制御手段と、を備えることを特徴とする放射線撮影装置。
【請求項６】
前記通信制御手段は、前記撮影モード設定手段が前記撮影モードを、複数のフレーム画像からなる動画を撮影する動画撮影モードに設定した場合に、前記無線モジュールが前記画像データの送信に使用するアンテナの本数を増やすことを特徴とする請求項５に記載の放射線撮影装置。
【請求項７】
前記通信制御手段は、前記無線モジュールが前記画像データの送信に使用するアンテナの本数に応じて、アンテナ一本当りの使用電力を制御する電力制御手段を備えることを特徴とする請求項１から６のいずれか一項に記載の放射線撮影装置。
【請求項８】
放射線を発生させる放射線照射装置と、
請求項１から７のいずれか一項に記載の放射線撮影装置と、
前記放射線撮影装置から無線にて画像データを受信し、当該画像データに基づく放射線画像を表示することが可能な画像表示装置と、を備えることを特徴とする放射線撮影システム。
【手続補正２】
【補正対象書類名】明細書
【補正対象項目名】０００７
【補正方法】変更
【補正の内容】
【０００７】
上記課題を解決するため、本発明の放射線撮影装置は、
照射された放射線に応じた電荷を蓄積可能な複数の画素が配置されたセンサー基板を有するセンサーパネルと、
前記センサー基板の各画素が蓄積した電荷に基づいて画像データを生成する画像生成手段と、
複数のアンテナを備え、前記画像生成手段が生成した画像データを無線通信にて外部へ送信することが可能な無線モジュールと、
前記センサーパネルにおける前記無線モジュール近傍の部位の温度を測定する第一温度センサーと、
前記温度センサーの測定値に基づいて、前記無線モジュールが前記画像データの送信に使用するアンテナの本数を制御する通信制御手段と、を備えることを特徴とする。
また、本発明の放射線撮影装置は、
照射された放射線に応じた電荷を蓄積可能な複数の画素が配置されたセンサー基板と、
前記センサー基板の各画素が蓄積した電荷に基づいて画像データを生成する画像生成手段と、
複数のアンテナを備え、前記画像生成手段が生成した画像データを無線通信にて外部へ送信することが可能な無線モジュールと、
前記画像生成手段の動作を規定する撮影モードを、それぞれ生成する画像データのデータ量が異なる複数の撮影モードのいずれかに設定する撮影モード設定手段と、
前記撮影モード設定手段が設定した撮影モードに基づいて、前記無線モジュールが前記画像データの送信に使用するアンテナの本数を制御する通信制御手段と、を備えることを特徴とする。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
可変表示パターンに従って可変表示を行う可変表示手段と、
特別演出を実行する特別演出実行手段と、
前記特別演出の実行中に所定演出を実行可能な所定演出実行手段と、を備え、
前記可変表示パターンは、可変表示が開始されてから表示結果が導出表示されるまでに一旦仮停止させた後に再度可変表示を実行する再可変表示を実行する再可変表示パターンと、該再可変表示パターンよりも少なくとも前記仮停止までの期間が短い短縮再可変表示パターンと、を含み、
前記短縮再可変表示パターンの方が前記再可変表示パターンよりも前記有利状態に制御される期待度が高く、
前記特別演出実行手段は、前記短縮再可変表示パターンによる再可変表示を所定回数繰り返す前記特別演出を実行し、
前記所定演出実行手段により前記所定演出を実行しない場合、前記特別演出における前記再可変表示を第１回数繰り返す場合よりも、前記特別演出における前記再可変表示を前記第１回数よりも多い第２回数繰り返す場合の方が前記有利状態に制御される割合が高く、
前記特別演出における前記再可変表示を前記第１回数繰り返すまでに前記所定演出実行手段により前記所定演出を実行する場合よりも、前記特別演出における前記再可変表示を前記第１回数繰り返した後であって前記第２回数繰り返すまでに前記所定演出実行手段により前記所定演出を実行する場合の方が前記有利状態に制御される割合が高く、
前記所定演出は第１態様の所定演出と前記第１態様と異なる第２態様の所定演出とがあり、前記特別演出の実行中に前記第１態様の所定演出が実行された場合は、前記特別演出の実行後に特定演出を実行し、前記特別演出の実行中に前記第２態様の所定演出が実行された場合に、前記特別演出の実行後にそのまま前記有利状態に制御する、
ことを特徴とする遊技機。
【手続補正２】
【補正対象書類名】明細書
【補正対象項目名】０００７
【補正方法】変更
【補正の内容】
【０００７】
（Ａ）遊技者にとって有利な有利状態に制御可能な遊技機であって、
可変表示パターンに従って可変表示を行う可変表示手段と、
特別演出を実行する特別演出実行手段と、
前記特別演出の実行中に所定演出を実行可能な所定演出実行手段と、を備え、
前記可変表示パターンは、可変表示が開始されてから表示結果が導出表示されるまでに一旦仮停止させた後に再度可変表示を実行する再可変表示を実行する再可変表示パターンと、該再可変表示パターンよりも少なくとも前記仮停止までの期間が短い短縮再可変表示パターンと、を含み、
前記短縮再可変表示パターンの方が前記再可変表示パターンよりも前記有利状態に制御される期待度が高く、
前記特別演出実行手段は、前記短縮再可変表示パターンによる再可変表示を所定回数繰り返す前記特別演出を実行し、
前記所定演出実行手段により前記所定演出を実行しない場合、前記特別演出における前記再可変表示を第１回数繰り返す場合よりも、前記特別演出における前記再可変表示を前記第１回数よりも多い第２回数繰り返す場合の方が前記有利状態に制御される割合が高く、
前記特別演出における前記再可変表示を前記第１回数繰り返すまでに前記所定演出実行手段により前記所定演出を実行する場合よりも、前記特別演出における前記再可変表示を前記第１回数繰り返した後であって前記第２回数繰り返すまでに前記所定演出実行手段により前記所定演出を実行する場合の方が前記有利状態に制御される割合が高く、
前記所定演出は第１態様の所定演出と前記第１態様と異なる第２態様の所定演出とがあり、前記特別演出の実行中に前記第１態様の所定演出が実行された場合は、前記特別演出の実行後に特定演出を実行し、前記特別演出の実行中に前記第２態様の所定演出が実行された場合は、前記特別演出の実行後にそのまま前記有利状態に制御する、
ことを特徴とする遊技機。
（１）上記目的を達成するため、本発明に係る遊技機は、
遊技者にとって有利な有利状態に制御可能な遊技機（例えばパチンコ遊技機１など）であって、
所定態様を所定回数繰り返す特別演出を実行する特別演出実行手段（特別変動を行う演出制御用ＣＰＵ１２０など）と、
前記特別演出の実行中に所定演出を実行可能な所定演出実行手段（所定演出を実行する演出制御用ＣＰＵ１２０など）と、を備え、
前記所定演出実行手段により前記所定演出を実行しない場合、前記特別演出として前記所定態様を第１回数繰り返す場合よりも、前記所定態様を前記第１回数よりも多い第２回数繰り返す場合の方が高い割合で前記有利状態に制御し（例えば特別変動の実行回数が多いほど期待度が高くなっているなど）、
前記所定演出実行手段により前記所定演出を実行せず前記所定態様を前記第２回数繰り返す場合よりも、前記所定態様を前記第１回数繰り返すまでに前記所定演出実行手段により前記所定演出を実行する場合の方が高い割合で前記有利状態に制御する（例えば１２回よりも前の特別変動時に所定演出が実行された場合には、所定演出が実行されずに１２回の特別変動が行われた場合よりも期待度が高くなっているなど）、
ことを特徴とする。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にするか否かの判定を行う判定手段と、
遊技者が操作可能な操作手段を含む演出手段を用いて、所定の演出を実行可能な演出実行手段と、を備え、
前記演出実行手段は、
前記判定の結果に基づいて、前記操作手段への操作を促す操作演出を実行可能であり、
前記操作演出を実行する前に、前記操作演出が行われることを示唆する操作示唆演出を実行することがあり、
前記操作示唆演出と並行して、所定の場面演出が展開する特別演出を実行可能であり、
前記操作演出には、第１操作演出と第２操作演出とがあり、
前記操作示唆演出には、前記第１操作演出を示唆する特定操作示唆演出と、前記第２操作演出を示唆する非特定操作示唆演出と、があり、
前記特別演出において前記場面演出が展開するときに、前記操作示唆演出における前記非特定操作示唆演出が前記特定操作示唆演出に変更されることがある、
ことを特徴とする遊技機。
【手続補正２】
【補正対象書類名】明細書
【補正対象項目名】０００７
【補正方法】変更
【補正の内容】
【０００７】
本明細書に開示される遊技機は、遊技者に有利な特別遊技状態にするか否かの判定を行う判定手段と、遊技者が操作可能な操作手段を含む演出手段を用いて、所定の演出を実行可能な演出実行手段と、を備え、前記演出実行手段は、前記判定の結果に基づいて、前記操作手段への操作を促す操作演出を実行可能であり、前記操作演出を実行する前に、前記操作演出が行われることを示唆する操作示唆演出を実行することがあり、前記操作示唆演出と並行して、所定の場面演出が展開する特別演出を実行可能であり、前記操作演出には、第１操作演出と第２操作演出とがあり、前記操作示唆演出には、前記第１操作演出を示唆する特定操作示唆演出と、前記第２操作演出を示唆する非特定操作示唆演出と、があり、前記特別演出において前記場面演出が展開するときに、前記操作示唆演出における前記非特定操作示唆演出が前記特定操作示唆演出に変更されることがある、ことを特徴としている。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にするか否かの判定を行う判定手段と、
所定の表示手段を含む演出手段を用いて、所定の演出を実行可能な演出実行手段と、を備え、
前記演出実行手段は、
複数のタイミングで場面の展開が行われる特別演出を実行可能であるとともに、前記特別演出において、所定の背景画像を前記表示手段に表示可能であり、
前記複数のタイミングで、前記判定の結果に基づいて、前記背景画像が縮小してから拡大する動作演出を実行することがあり、
前記複数のタイミングで実行する前記動作演出の何れにおいても、前記背景画像の縮小または拡大に伴って、前記背景画像上で、所定の示唆演出を実行することがある、
ことを特徴とする遊技機。
【手続補正２】
【補正対象書類名】明細書
【補正対象項目名】０００７
【補正方法】変更
【補正の内容】
【０００７】
本明細書に開示される遊技機は、遊技者に有利な特別遊技状態にするか否かの判定を行う判定手段と、所定の表示手段を含む演出手段を用いて、所定の演出を実行可能な演出実行手段と、を備え、前記演出実行手段は、複数のタイミングで場面の展開が行われる特別演出を実行可能であるとともに、前記特別演出において、所定の背景画像を前記表示手段に表示可能であり、前記複数のタイミングで、前記判定の結果に基づいて、前記背景画像が縮小してから拡大する動作演出を実行することがあり、前記複数のタイミングで実行する前記動作演出の何れにおいても、前記背景画像の縮小または拡大に伴って、前記背景画像上で、所定の示唆演出を実行することがある、ことを特徴としている。
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行うものであって、外枠に取り付けられる本体部と、該本体部と前記外枠の前面側に設けられる扉部と、を備えてなる遊技機において、
複数の色の配置パターンに遊技機固有の機別情報が対応付けられたカラーコードと、
前記扉部の特定箇所に設けられ、前記カラーコードが配置されるカラーコード配置部と、を備え、
前記カラーコードは、所定の外部機器によって撮影されて認識されることで、該外部機器に対して前記遊技機固有の機別情報を提供し得るものであり、
前記カラーコード配置部が設けられる前記特定箇所は、前記外枠と前記本体部に対して前記扉部が閉鎖された状態で遊技者から視認不能で、且つ、前記外枠と前記本体部に対して前記扉部が開放された状態で該扉部の真上方向あるいは該扉部の後斜上方向から俯瞰して視認可能となる、該扉部の後面側であり、さらに、前記扉部が有する遊技窓の上端より上方に設けられることを特徴とする遊技機。
【請求項２】
遊技媒体を用いて遊技を行うものであって、外枠に取り付けられる本体部と、該本体部と前記外枠の前面側に設けられる扉部と、前記本体部に装着される遊技板と裏箱からなる遊技盤と、を備えてなる遊技機において、
複数の色の配置パターンに遊技機固有の機別情報が対応付けられたカラーコードと、
前記遊技盤の特定箇所に設けられ、前記カラーコードが配置されるカラーコード配置部と、を備え、
前記カラーコードは、所定の外部機器によって撮影されて認識されることで、該外部機器に対して前記遊技機固有の機別情報を提供し得るものであり、
前記カラーコード配置部が設けられる前記特定箇所は、前記本体部に前記遊技盤が装着され、前記外枠と前記本体部に対して前記扉部が閉鎖された状態で遊技者から視認不能であり、且つ、前記本体部から前記遊技盤が離脱した状態で起立姿勢を基準にした該遊技盤の真上方向あるいは後斜上方向から俯瞰して視認可能となる、該遊技盤の前記本体部の内部に収まる部分であり、さらに、前記裏箱の上方から撮影可能に設けられることを特徴とする遊技機。
【手続補正２】
【補正対象書類名】明細書
【補正対象項目名】０００２
【補正方法】変更
【補正の内容】
【０００２】
従来は、遊技機に付したいわゆるＱＲコード（登録商標）をカメラで撮影し、そうして撮影された画像を読み取ることで各遊技機の個別情報を取得し、その個別情報により管理するようにしていた（特許文献１）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】変更
【補正の内容】
【０００４】
【特許文献１】特開２００８−２９５５４９号公報
【手続補正５】
【補正対象書類名】明細書
【補正対象項目名】０００５
【補正方法】変更
【補正の内容】
【０００５】
しかしながら、従来の遊技機管理方法は、一台ずつＱＲコードを読み取る必要があるため、複数の遊技機の管理（遊技機の種類や設置状態の把握等）に手間が掛かる問題があった。
【手続補正６】
【補正対象書類名】明細書
【補正対象項目名】０００６
【補正方法】変更
【補正の内容】
【０００６】
本発明は上記に鑑みなされたもので、その目的は、大量の遊技機管理が効率的に行える遊技機管理方法及び遊技機を提供することを目的とする。
【手続補正７】
【補正対象書類名】明細書
【補正対象項目名】０００７
【補正方法】変更
【補正の内容】
【０００７】
上記の目的を達成するため本発明は、
遊技媒体を用いて遊技を行うものであって、外枠に取り付けられる本体部と、該本体部と前記外枠の前面側に設けられる扉部と、を備えてなる遊技機において、
複数の色の配置パターンに遊技機固有の機別情報が対応付けられたカラーコードと、
前記扉部の特定箇所に設けられ、前記カラーコードが配置されるカラーコード配置部と、を備え、
前記カラーコードは、所定の外部機器によって撮影されて認識されることで、該外部機器に対して前記遊技機固有の機別情報を提供し得るものであり、
前記カラーコード配置部が設けられる前記特定箇所は、前記外枠と前記本体部に対して前記扉部が閉鎖された状態で遊技者から視認不能で、且つ、前記外枠と前記本体部に対して前記扉部が開放された状態で該扉部の真上方向あるいは該扉部の後斜上方向から俯瞰して視認可能となる、該扉部の後面側であり、さらに、前記扉部が有する遊技窓の上端より上方に設けられることを特徴とする遊技機を提供する。
【手続補正８】
【補正対象書類名】明細書
【補正対象項目名】０００８
【補正方法】変更
【補正の内容】
【０００８】
さらに上記の目的を達成するため本発明は、
遊技媒体を用いて遊技を行うものであって、外枠に取り付けられる本体部と、該本体部と前記外枠の前面側に設けられる扉部と、前記本体部に装着される遊技板と裏箱からなる遊技盤と、を備えてなる遊技機において、
複数の色の配置パターンに遊技機固有の機別情報が対応付けられたカラーコードと、
前記遊技盤の特定箇所に設けられ、前記カラーコードが配置されるカラーコード配置部と、を備え、
前記カラーコードは、所定の外部機器によって撮影されて認識されることで、該外部機器に対して前記遊技機固有の機別情報を提供し得るものであり、
前記カラーコード配置部が設けられる前記特定箇所は、前記本体部に前記遊技盤が装着され、前記外枠と前記本体部に対して前記扉部が閉鎖された状態で遊技者から視認不能であり、且つ、前記本体部から前記遊技盤が離脱した状態で起立姿勢を基準にした該遊技盤の真上方向あるいは後斜上方向から俯瞰して視認可能となる、該遊技盤の前記本体部の内部に収まる部分であり、さらに、前記裏箱の上方から撮影可能に設けられることを特徴とする遊技機を提供する。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】変更
【補正の内容】
【００１３】
本発明によれば、大量の遊技機管理が効率的に行える。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
大当たりにするかハズレにするかの判定を行う判定手段と、
所定の演出を実行可能な演出実行手段と、を備え、
前記演出実行手段は、
前記判定の結果に基づいて、大当たりまたはハズレを示唆する判定演出を実行可能であり、
前記判定演出においてハズレを示唆した後、当該判定演出の終了を示唆する終了演出を実行することがあり、
前記終了演出において大当たりになることを示唆することがある、
ことを特徴とする遊技機。
【手続補正２】
【補正対象書類名】明細書
【補正対象項目名】０００７
【補正方法】変更
【補正の内容】
【０００７】
本明細書に開示される遊技機は、大当たりにするかハズレにするかの判定を行う判定手段と、所定の演出を実行可能な演出実行手段と、を備え、前記演出実行手段は、前記判定の結果に基づいて、大当たりまたはハズレを示唆する判定演出を実行可能であり、前記判定演出においてハズレを示唆した後、当該判定演出の終了を示唆する終了演出を実行することがあり、前記終了演出において大当たりになることを示唆することがある、ことを特徴としている。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にするか否かの判定を行う判定手段と、
所定の表示手段を含む演出手段を用いて、所定の演出を実行可能な演出実行手段と、を備え、
前記演出実行手段は、
前記判定の結果に基づいて、所定の特別演出を実行可能であり、
前記特別演出において、前記特別演出における第１のタイミングおよび第２のタイミングの何れか一方または両方で、所定の予告演出を実行することがあり、
前記予告演出が実行される可能性があることを示唆する前兆演出を実行することがあり、
前記前兆演出では、前記第１のタイミングで前記予告演出が実行される可能性があることを示唆する第１前兆演出と、前記第２のタイミングで前記予告演出が実行される可能性があることを示唆する第２前兆演出と、が同時に行われる、
ことを特徴とする遊技機。
【手続補正２】
【補正対象書類名】明細書
【補正対象項目名】０００７
【補正方法】変更
【補正の内容】
【０００７】
本明細書に開示される遊技機は、遊技者に有利な特別遊技状態にするか否かの判定を行う判定手段と、所定の表示手段を含む演出手段を用いて、所定の演出を実行可能な演出実行手段と、を備え、前記演出実行手段は、前記判定の結果に基づいて、所定の特別演出を実行可能であり、前記特別演出において、前記特別演出における第１のタイミングおよび第２のタイミングの何れか一方または両方で、所定の予告演出を実行することがあり、前記予告演出が実行される可能性があることを示唆する前兆演出を実行することがあり、前記前兆演出では、前記第１のタイミングで前記予告演出が実行される可能性があることを示唆する第１前兆演出と、前記第２のタイミングで前記予告演出が実行される可能性があることを示唆する第２前兆演出と、が同時に行われる、ことを特徴としている。
【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
第１のアプリケーションと第２のアプリケーションを含む複数種類のアプリケーションを実行させることが可能なプラットフォームを提供する画像形成装置であって、
前記第１のアプリケーションの実行中にアクセスされる第１のデータ領域および前記第２のアプリケーションの実行中にアクセスされる第２のデータ領域が設けられた、データを保存するストレージと、
少なくとも前記第１のアプリケーションのプログラムおよび前記第１のアプリケーションの設定データを含む前記第１のデータ領域のバックアップデータと、少なくとも前記第２のアプリケーションのプログラムおよび前記第２のアプリケーションの設定データを含む前記第２のデータ領域のバックアップデータとを、前記画像形成装置の起動後かつ前記プラットフォームの起動前に取得する取得手段と、を備える
ことを特徴とする画像形成装置。
【請求項２】
前記複数種類のアプリケーションには、バックアップの実行を依頼するバックアップ実行依頼ファイルを含む第１の情報を作成する第３のアプリケーションが含まれ、
前記取得手段は、前記画像形成装置の起動後かつ前記プラットフォームの起動前に、前記第１の情報を検出したことに基づいて前記バックアップデータを取得する
ことを特徴とする請求項１に記載の画像形成装置。
【請求項３】
前記取得手段は、前記画像形成装置が起動することにより起動し、
前記プラットフォームは、前記取得手段が前記バックアップデータを取得した後に起動し、
前記プラットフォームが、前記複数種類のアプリケーションをそれぞれ起動させる
ことを特徴とする請求項２に記載の画像形成装置。
【請求項４】
前記プラットフォームおよび前記複数種類のアプリケーションがそれぞれ停止し、
前記プラットフォームは、前記取得手段が前記バックアップデータを取得した後に起動し、
前記プラットフォームが、前記複数種類のアプリケーションをそれぞれ起動させる
ことを特徴とする請求項２に記載の画像形成装置。
【請求項５】
取得された前記第１のデータ領域および第２のデータ領域のバックアップデータとバックアップの実行結果の送信を実行する送信手段をさらに備え、
前記送信手段は、前記プラットフォームおよび前記アプリケーションが起動された後に前記送信を実行する
ことを特徴とする請求項４に記載の画像形成装置。
【請求項６】
前記取得手段は、前記画像形成装置の起動後かつ前記プラットフォームの起動前に、前記第１のデータ領域および前記第２のデータ領域のバックアップデータをレストアする
ことを特徴とする請求項１乃至請求項５のいずれか１項に記載の画像形成装置。
【請求項７】
前記複数種類のアプリケーションに含まれる第３のアプリケーションは、前記バックアップデータのレストアを依頼する第２の情報を作成し、
前記取得手段は、前記画像形成装置の起動後かつ前記プラットフォームの起動前に、前記第２の情報を検出したことに基づいて前記バックアップデータをレストアする
ことを特徴とする請求項６に記載の画像形成装置。
【請求項８】
前記取得手段は、前記画像形成装置が起動することにより起動し、
前記プラットフォームは、前記取得手段が前記バックアップデータをレストアした後に起動し、
前記プラットフォームが、前記複数種類のアプリケーションをそれぞれ起動させる
ことを特徴とする請求項７に記載の画像形成装置。
【請求項９】
前記プラットフォームおよび前記複数種類のアプリケーションがそれぞれ停止し、
前記プラットフォームは、前記取得手段が前記バックアップデータをレストアした後に起動し、
前記プラットフォームが、前記複数種類のアプリケーションをそれぞれ起動させる
ことを特徴とする請求項７に記載の画像形成装置。
【請求項１０】
前記プラットフォームは、仮想マシンであることを特徴とする請求項１乃至９のいずれか１項に記載の画像形成装置。
【請求項１１】
前記プラットフォームは、Ｊａｖａ  ＶＭであることを特徴とする請求項１乃至１０のいずれか１項に記載の画像形成装置。
【請求項１２】
前記第１のアプリケーションおよび前記第２のアプリケーションは、拡張アプリケーションであることを特徴とする請求項１乃至１１のいずれか１項に記載の画像形成装置。
【請求項１３】
第１のアプリケーションと第２のアプリケーションを含む複数種類のアプリケーションを実行させることが可能なプラットフォームを提供し、前記第１のアプリケーションの実行中にアクセスされる第１のデータ領域および前記第２のアプリケーションの実行中にアクセスされる第２のデータ領域が設けられたストレージを備える画像形成装置の制御方法であって、
前記画像形成装置の起動後かつ前記プラットフォームの起動前に、少なくとも前記第１のアプリケーションのプログラムおよび前記第１のアプリケーションの設定データを含む前記第１のデータ領域のバックアップデータと、少なくとも前記第２のアプリケーションのプログラムおよび前記第２のアプリケーションの設定データを含む前記第２のデータ領域のバックアップデータとを取得する工程を有する
ことを特徴とする画像形成装置の制御方法。
【請求項１４】
前記複数種類のアプリケーションに含まれる第３のアプリケーションにより、バックアップの実行を依頼するバックアップ実行依頼ファイルを含む第１の情報を作成する工程と、
前記画像形成装置の起動後かつ前記プラットフォームの起動前に、前記第１の情報を検出したことに基づいて前記バックアップデータを取得する工程と、を有することを特徴とする請求項１３に記載の画像形成装置の制御方法。
【請求項１５】
コンピュータを、請求項１乃至１２のいずれか１項に記載の画像形成装置が備える各手段として機能させることを特徴とするプログラム。
【手続補正２】
【補正対象書類名】明細書
【補正対象項目名】０００９
【補正方法】変更
【補正の内容】
【０００９】
本発明の一実施形態の画像形成装置は、第１のアプリケーションと第２のアプリケーションを含む複数種類のアプリケーションを実行させることが可能なプラットフォームを提供する画像形成装置であって、前記第１のアプリケーションの実行中にアクセスされる第１のデータ領域および前記第２のアプリケーションの実行中にアクセスされる第２のデータ領域が設けられた、データを保存するストレージと、少なくとも前記第１のアプリケーションのプログラムおよび前記第１のアプリケーションの設定データを含む前記第１のデータ領域のバックアップデータと、少なくとも前記第２のアプリケーションのプログラムおよび前記第２のアプリケーションの設定データを含む前記第２のデータ領域のバックアップデータとを、前記画像形成装置の起動後かつ前記プラットフォームの起動前に取得する取得手段とを備える。
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
尿を吸収する吸収性物品の尿吸収量から取得された着用者の排尿量データを、排尿時刻データと共に記憶する排尿データ記憶部と、吸収性物品の尿吸収容量を含む物品情報を記憶する吸収性物品情報記憶部とを含んで構成される介護スケジュール提案装置を使用し、
前記排尿データ記憶部に記憶された、排尿量データおよび該排尿量データと対応する排尿時刻データで構成される排尿データと、前記吸収性物品情報記憶部に記憶された、使用する吸収性物品の尿吸収容量を含む尿吸収容量データとを用いて、吸収性物品の交換時刻とすることが可能な交換可能時刻又は交換可能時間帯の制限が存在するなかで、吸収性物品の交換時刻若しくは着用すべき吸収性物品の少なくとも一方を提案する介護スケジュール提案方法であって、
一の交換時刻である着用開始時刻と次の交換時刻である着用終了時刻とを、前記交換可能時刻又は交換可能時間帯から仮に定め、仮に定めた一の交換時刻及び次の交換時刻によって定まる所定の時間帯における総排尿量を前記排尿データから求める総排尿量演算ステップと、
該求めた総排尿量と吸収性物品の前記尿吸収容量とを比較して、前記尿吸収容量が前記総排尿量を下回らない吸収性物品若しくは前記所定の時間帯の少なくとも一方を求めるスケジュール演算ステップと、を有する介護スケジュール提案方法。
【請求項２】
前記スケジュール演算ステップは、前記求めた総排尿量と前記尿吸収容量が比較される吸収性物品として、複数種類の吸収性物品中で最も尿吸収容量の小さな吸収性物品から探索を開始し、
前記総排尿量が前記尿吸収容量より大きい場合は、前記総排尿量が前記尿吸収容量より小さくなるまで吸収性物品を変更することを繰り返し、
前記総排尿量が前記尿吸収容量より小さい場合は、当該所定の時間帯を定める着用開始時刻と当該吸収性物品とを、交換時刻及び交換すべき吸収性物品として提案する、請求項１記載の介護スケジュール提案方法。
【請求項３】
前記スケジュール演算ステップは、一の交換時刻又は次の交換時刻のいずれか一方を変化させて、吸収性物品の前記尿吸収容量が前記総排尿量を下回らない所定の時間帯を探索することで、吸収性物品の交換時刻を求めて提案する、請求項１記載の介護スケジュール提案方法。
【請求項４】
前記排尿データ記憶部に記憶された、少なくとも２４時間分の排尿量データおよび該排尿データと対応する排尿時刻データで構成される排尿データを用いて行う介護スケジュール提案方法であって、
前記スケジュール演算ステップは、少なくとも２４時間にわたって吸収性物品若しくは所定の時間帯の少なくとも一方を求めるためのスケジュール演算を行う、請求項１〜３の何れか１項記載の介護スケジュール提案方法。
【手続補正２】
【補正対象書類名】明細書
【補正対象項目名】発明の名称
【補正方法】変更
【補正の内容】
【発明の名称】介護スケジュール提案方法
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
プロセッサ、メモリ、およびユーザの入力操作を受け付けるように構成された操作部を備えるコンピュータにおいて実行されるゲームプログラムであって、
前記ゲームプログラムに基づくゲームは、メインパートのゲームおよびサブパートのゲームを含み、前記サブパートのゲームは、前記メインパートでのゲームプレイを有利または快適にする効果を発動させることが可能なゲームであって、
前記効果は複数段階あり、必要量のコストが消費された場合に前記効果が１段階強化され、
前記ゲームプログラムは前記サブパートのゲームにおいて、前記プロセッサに、
前記コストを所定量低減させる低減アイテムを消費する旨を指示する入力操作を受け付けた場合に、前記低減アイテムを消費して、前記コストの前記必要量を低減させるステップ、を実行させ、
前記必要量を低減させるステップでは、前記効果の段階が所定の段階以下である場合に前記コストを低減させる、ゲームプログラム。
【請求項２】
プロセッサ、メモリ、およびユーザの入力操作を受け付けるように構成された操作部を備えるコンピュータがゲームプログラムを実行する方法であって、
前記ゲームプログラムに基づくゲームは、メインパートのゲームおよびサブパートのゲームを含み、前記サブパートのゲームは、前記メインパートでのゲームプレイを有利または快適にする効果を発動させることが可能なゲームであって、
前記効果は複数段階あり、必要量のコストが消費された場合に前記効果が１段階強化され、
前記方法は前記サブパートのゲームにおいて、
前記コストを所定量低減させる低減アイテムを消費する旨を指示する入力操作を受け付けた場合に、前記低減アイテムを消費して、前記コストの前記必要量を低減させるステップ、を含み、
前記必要量を低減させるステップでは、前記効果の段階が所定の段階以下である場合に前記コストを低減させる、方法。
【請求項３】
ゲームプログラムを記憶する記憶部と、
前記ゲームプログラムを実行することにより、前記自装置の動作を制御する制御部と、
ユーザの入力操作を受け付けるように構成された操作部と、を備え、
前記ゲームプログラムに基づくゲームは、メインパートのゲームおよびサブパートのゲームを含み、前記サブパートのゲームは、前記メインパートでのゲームプレイを有利または快適にする効果を発動させることが可能なゲームであって、
前記効果は複数段階あり、必要量のコストが消費された場合に前記効果が１段階強化され、
前記制御部は、前記サブパートのゲームにおいて、
前記コストを所定量低減させる低減アイテムを消費する旨を指示する入力操作を受け付けた場合に、前記低減アイテムを消費して、前記コストの前記必要量を低減させ、
前記必要量を低減させる際、前記効果の段階が所定の段階以下である場合に前記コストを低減させる、情報処理装置。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
化学電池を電源として駆動する電子機器であって、
前記化学電池からの電力が供給される負荷装置と、
機械的に開閉する接点と、前記電子機器の表面に設けられた操作部と、前記操作部に加わった力を前記接点に機械的に伝達する機構と、を有し、前記接点の開閉により前記化学電池と前記負荷装置とが電気的に接続されていない状態と接続されている状態とを切り替える、少なくとも１つのスイッチと、を備え、
前記操作部は、前記電子機器が縦置きの設置状態である場合に、前記化学電池と前記負荷装置とが電気的に接続されていない状態になるように押圧される位置に設けられた
ことを特徴とする電子機器。
【請求項２】
請求項１に記載の電子機器において、
前記操作部が設けられた前記位置は、前記電子機器が縦置きの設置状態ではない場合に、前記化学電池と前記負荷装置とが電気的に接続されている状態になるように押圧される位置である
ことを特徴とする電子機器。
【請求項３】
請求項１又は請求項２に記載の電子機器において、
前記少なくとも１つのスイッチは、モーメンタリスイッチである
ことを特徴とする電子機器。
【請求項４】
請求項１乃至請求項３のいずれか１項に記載の電子機器において、
前記少なくとも１つのスイッチは、ｂ接点スイッチである
ことを特徴とする電子機器。
【請求項５】
請求項４に記載の電子機器において、
前記操作部は、前記電子機器を使用する際に設置面と接する表面とは異なる面に設けられる
ことを特徴とする電子機器。
【請求項６】
請求項１乃至請求項５のいずれか１項に記載の電子機器において、
前記少なくとも１つのスイッチは、複数のスイッチであり、
前記複数のスイッチに含まれる複数の接点は、前記化学電池と前記負荷装置との間に、並列接続されている
ことを特徴とする電子機器。
【請求項７】
請求項６に記載の電子機器において、
前記複数のスイッチに含まれる複数の操作部は、前記電子機器の同じ面に設けられている
ことを特徴とする電子機器。
【請求項８】
請求項１乃至請求項７のいずれか１項に記載の電子機器を収納する収納ケースであって、
前記電子機器が収納されているときに、前記操作部を押圧する形状を有する
ことを特徴とする収納ケース。
【請求項９】
化学電池を電源として駆動する電子機器であって、
前記化学電池からの電力が供給される負荷装置と、
機械的に開閉する接点と、前記電子機器の表面に設けられた操作部と、前記操作部に加わった力を前記接点に機械的に伝達する機構と、を有し、前記接点の開閉により前記化学電池と前記負荷装置とが電気的に接続されていない状態と接続されている状態とを切り替える、少なくとも１つのスイッチと、を備え、
前記操作部は、前記電子機器の表面が設置面に接するように設置していない場合、前記化学電池と前記負荷装置とが電気的に接続されていない状態になり、かつ、前記電子機器の表面が設置面に接するように設置している場合、前記化学電池と前記負荷装置とが電気的に接続されている状態になるように押圧される、前記電子機器の前記表面の位置に設けられた
ことを特徴とする電子機器。
【請求項１０】
請求項９に記載の電子機器を収納する収納ケースであって、
前記電子機器が収納されているときに、前記操作部を押圧しない形状を有する
ことを特徴とする収納ケース。
【手続補正２】
【補正対象書類名】明細書
【補正対象項目名】０００７
【補正方法】変更
【補正の内容】
【０００７】
本発明の一態様に係る電子機器は、化学電池を電源として駆動する電子機器であって、前記化学電池からの電力が供給される負荷装置と、少なくとも１つのスイッチと、を備える。少なくとも１つのスイッチは、機械的に開閉する接点と、前記電子機器の表面に設けられた操作部と、前記操作部に加わった力を前記接点に機械的に伝達する機構と、を有し、前記接点の開閉により前記化学電池と前記負荷装置とが電気的に接続されていない状態と接続されている状態とを切り替える。前記操作部は、前記電子機器が縦置きの設置状態である場合に、前記化学電池と前記負荷装置とが電気的に接続されていない状態になるように押圧される位置に設けられている。
本発明の別の態様に係る電子機器は、化学電池を電源として駆動する電子機器であって、前記化学電池からの電力が供給される負荷装置と、機械的に開閉する接点と、前記電子機器の表面に設けられた操作部と、前記操作部に加わった力を前記接点に機械的に伝達する機構と、を有し、前記接点の開閉により前記化学電池と前記負荷装置とが電気的に接続されていない状態と接続されている状態とを切り替える、少なくとも１つのスイッチと、を備え、前記操作部は、前記電子機器の表面が設置面に接するように設置していない場合、前記化学電池と前記負荷装置とが電気的に接続されていない状態になり、かつ、前記電子機器の表面が設置面に接するように設置している場合、前記化学電池と前記負荷装置とが電気的に接続されている状態になるように押圧される、前記電子機器の前記表面の位置に設けられている。
【手続補正３】
【補正対象書類名】明細書
【補正対象項目名】０００８
【補正方法】変更
【補正の内容】
【０００８】
本発明の一態様に係る収納ケースは、上記の一態様に係る電子機器を収納する収納ケースであって、前記電子機器が収納されているときに、前記操作部を押圧する形状を有する。
【手続補正４】
【補正対象書類名】明細書
【補正対象項目名】０００９
【補正方法】変更
【補正の内容】
【０００９】
本発明の別の態様に係る収納ケースは、上記の別の態様に係る電子機器を収納する収納ケースであって、前記電子機器が収納されているときに、前記操作部を押圧しない形状を有する。